(57)【要約】【課題】三脚や台等を用いて静止された状態で撮影する場合に、有効に消費電力を軽減できるようにした撮像装置を提供する。【解決手段】手ブレ補正手段を備える撮像装置であって、撮像装置の姿勢又は振動を検出する検出手段１０８と、前記検出手段により静止状態が検出された場合に、前記手ブレ補正手段の少なくとも一部への通電を停止するよう制御する制御手段１０１と、を備えて構成される。【選択図】図２
2009015184.tif 000002
【特許請求の範囲】
【請求項１】
手ブレ補正手段を備える撮像装置であって、
撮像装置の姿勢又は振動を検出する検出手段と、
前記検出手段により静止状態が検出された場合に、前記手ブレ補正手段の少なくとも一部への通電を停止するよう制御する制御手段と、
を備えることを特徴とする撮像装置。
【請求項２】
前記手ブレ補正手段の少なくとも一部への通電が停止された状態において、前記検出手段により運動状態が検出された場合に、前記手ブレ補正手段の少なくとも一部への通電を再開することを特徴とする請求項１に記載の撮像装置。
【請求項３】
前記検出手段は、当該撮像装置の傾斜を検出する傾斜センサであることを特徴とする請求項１又は２に記載の撮像装置。
【請求項４】
前記制御手段は、予め決められた所定時間中に前記傾斜センサの出力に変化がない場合に前記静止状態であると判定することを特徴とする請求項１〜３の何れか一項に記載の撮像装置。
【請求項５】
前記検出手段は、前記手ブレ補正手段が備える振動検出センサである請求項１〜４の何れか一項に記載の撮像装置。
【請求項６】
前記手ブレ補正手段は、振動検出センサと、該振動検出センサによる検出値に基づいて、当該振動を相殺するように光学部材と撮影面との相対位置を変化させる駆動手段とを有し、
前記制御手段は、前記静止状態が検出された場合に、前記振動検出センサ及び前記駆動手段の少なくとも一方への通電を停止するよう制御することを特徴とする請求項１〜５の何れか一項に記載の撮像装置。
【請求項７】
撮影光学系を介した被写体の像を撮像する撮像素子を更に備えることを特徴とする請求項１〜６の何れか一項に記載の撮像装置。
【請求項８】
前記撮像素子で撮像された画像を表示する画像表示手段と、
前記撮像素子で撮像された画像を前記画像表示手段にリアルタイム表示する際の表示モードを、前記リアルタイム表示中はコントラスト検出方式による前記撮影光学系の合焦動作を許容しない第１表示モードと、前記リアルタイム表示中も前記コントラスト検出方式による前記撮影光学系の合焦動作を許容する第２表示モードとに切り換え設定する表示モード設定手段と、を更に有し、
前記制御手段は、前記表示モードが前記第２表示モードに設定されているときに、前記静止状態が検出されると前記通電を停止することを特徴とする請求項７に記載の撮像装置。
【請求項９】
手ブレ補正手段を備える撮像装置であって、
撮影光学系を介した被写体の像を撮像する撮像素子と、
前記撮像素子で撮像された画像を表示する画像表示手段と、
前記撮像素子で撮像された画像を前記画像表示手段にリアルタイム表示する際の表示モードを、前記リアルタイム表示中はコントラスト検出方式による前記撮影光学系の合焦動作を許容しない第１表示モードと、前記リアルタイム表示中も前記コントラスト検出方式による前記撮影光学系の合焦動作を許容する第２表示モードとに切り換え設定する表示モード設定手段と、
前記表示モードが前記表示モード設定手段により前記第２表示モードに設定されると、前記手ブレ補正手段の少なくとも一部への通電を停止するよう制御する制御手段と、を有することを特徴とする撮像装置。
【請求項１０】
手ブレ補正手段を備える撮像装置であって、
撮像装置の姿勢又は振動を検出する検出手段と、
撮影光学系を介した被写体の像を撮像する撮像素子と、
前記撮像素子で撮像された画像を表示する画像表示手段と、
前記撮像素子で撮像された画像を前記画像表示手段にリアルタイム表示する際の表示モードを、前記リアルタイム表示中はコントラスト検出方式による前記撮影光学系の合焦動作を許容しない第１表示モードと、前記リアルタイム表示中も前記コントラスト検出方式による前記撮影光学系の合焦動作を許容する第２表示モードとに切り換え設定する表示モード設定手段と、
前記表示モードが前記表示モード設定手段により前記第２表示モードに設定され、且つ前記検出手段により前記撮像装置が静止状態にあることを検出されると、前記手ブレ補正手段の少なくとも一部への通電を停止するよう制御する制御手段と、を有することを特徴とする撮像装置。
【発明の詳細な説明】
【技術分野】
【０００１】
本発明は、カメラ等の撮像装置に関し、特に、光学的な手ブレ補正機構を備える撮像装置に関する。
【背景技術】
【０００２】
近年、光学式の手ブレ補正機構を搭載したカメラが用いられるようになってきている。光学式の手ブレ補正機構は、カメラが備える撮影レンズの一部と撮像面（撮像素子を備える電子カメラにあっては該撮像素子の撮像面、又はフィルム式カメラにあっては該フィルム面）との少なくとも一方を、角速度センサ（ジャイロセンサ）等の振動検出センサにより検出される検出値に基づいて、該振動を相殺するように機械的に移動させて、被写体の像と撮像面との相対位置関係を一定に保つようにした機構である。
【０００３】
ところで、カメラを手持ちで撮影する場合には、手ブレ補正機構はたいへん有用なものであるが、三脚に固定して撮影するような場合には作動させる必要はなく、手ブレ補正機構を構成するレンズ等を機械的に移動させるための駆動部や振動検出センサは比較的に消費電力が大きいため、このような場合には、省電力の観点から手ブレ補正機構は停止させることが望ましい。
【０００４】
これに対策するための従来技術としては、例えば、下記特許文献１に開示されているように、三脚にカメラが装着されたか否かを検出する三脚スイッチ（三脚装着検出手段）を設けて、カメラの三脚へのが装着が検出された場合に、カメラが静止状態におかれたものと見なして、手ブレ補正機構への給電を停止するようにした技術が知られている。
【０００５】
しかしながら、このような従来技術では、三脚スイッチをカメラ（又は三脚）に設ける必要があり、三脚は必ずしも該カメラの製造メーカーが推奨するものを用いるとは限らないため、互換性がない場合には三脚スイッチが作動せずに、消費電力を低減させることができない場合があるという問題があった。また、三脚を用いずに、テーブルや台等の三脚以外の物の上に載置して撮影する場合もあり、この場合にも手ブレ補正機構を作動させる必要はないが、このような場合に消費電力を低減させることができない場合があるという問題があった。
【０００６】
本発明は、このような点に鑑みてなされたものであり、その目的とするところは、三脚や台等を用いて静止された状態で撮影する場合に、有効に消費電力を軽減できるようにした撮像装置を提供することである。
【特許文献１】特開平２−３０１７３２号公報
【発明の開示】
【課題を解決するための手段】
【０００７】
この項の説明では、後述する実施形態を表す図面に示す部材等を示す符号を括弧を付して付記するが、これは単に理解の容易化のためであり、本発明の各構成要件は、これら部材等を示す符号を付した図面に示す部材等に限定されるものではない。
【０００８】
本発明の第１の観点によると、手ブレ補正手段（３１，３２，３３ｘ、３３ｙ）を備える撮像装置（ＣＭ）であって、撮像装置の姿勢又は振動を検出する検出手段（１０８，３３ｘ、３３ｙ）と、前記検出手段により静止状態が検出された場合に、前記手ブレ補正手段の少なくとも一部への通電を停止するよう制御する制御手段（１０１）と、を備える撮像装置が提供される。
【０００９】
本発明の第２の観点によると、手ブレ補正手段（３１，３２，３３ｘ、３３ｙ）を備える撮像装置（ＣＭ）であって、撮影光学系（ＣＬ）を介した被写体の像を撮像する撮像素子（１０）と、前記撮像素子で撮像された画像を表示する画像表示手段（１７）と、前記撮像素子で撮像された画像を前記画像表示手段にリアルタイム表示する際の表示モードを、前記リアルタイム表示中はコントラスト検出方式による前記撮影光学系の合焦動作を許容しない第１表示モードと、前記リアルタイム表示中も前記コントラスト検出方式による前記撮影光学系の合焦動作を許容する第２表示モードとに切り換え設定する表示モード設定手段（１１９）と、前記表示モードが前記表示モード設定手段により前記第２表示モードに設定されると、前記手ブレ補正手段の少なくとも一部への通電を停止するよう制御する制御手段（１０１）と、を有する撮像装置が提供される。
【００１０】
本発明の第３の観点によると、手ブレ補正手段（３１，３２，３３ｘ、３３ｙ）を備える撮像装置（ＣＭ）であって、撮像装置の姿勢又は振動を検出する検出手段（１０８，３３ｘ，３３ｙ）と、撮影光学系（ＣＬ）を介した被写体の像を撮像する撮像素子（１０）と、前記撮像素子で撮像された画像を表示する画像表示手段（１７）と、前記撮像素子で撮像された画像を前記画像表示手段にリアルタイム表示する際の表示モードを、前記リアルタイム表示中はコントラスト検出方式による前記撮影光学系の合焦動作を許容しない第１表示モードと、前記リアルタイム表示中も前記コントラスト検出方式による前記撮影光学系の合焦動作を許容する第２表示モードとに切り換え設定する表示モード設定手段（１１９）と、前記表示モードが前記表示モード設定手段により前記第２表示モードに設定され、且つ前記検出手段により前記撮像装置が静止状態にあることを検出されると、前記手ブレ補正手段の少なくとも一部への通電を停止するよう制御する制御手段（１０１）と、を有する撮像装置が提供される。
【発明の効果】
【００１１】
本発明の第１の観点に係る撮像装置では、三脚への固定、テーブルや台上への載置等により撮像装置の静止状態が検出された場合に、手ブレ補正手段の少なくとも一部への通電を停止するようにしたので、三脚との互換性を問うことなく、また台等に載置して撮影する場合であっても、電力消費を有効に軽減することができるようになるという効果がある。
【００１２】
本発明の第２の観点に係る撮像装置では、スタジオ等において三脚等へ固定して撮影する場合に設定されることが多い第２表示モードに設定された場合に、手ブレ補正手段の少なくとも一部への通電を停止するようにしたので、三脚との互換性を問うことなく、また台等に載置して撮影する場合であっても、電力消費を有効に軽減することができるようになるという効果がある。
【００１３】
本発明の第３の観点に係る撮像装置では、スタジオ等において三脚等へ固定して撮影する場合に設定されることが多い第２表示モードに設定され、且つ撮像装置の姿勢又は振動を検出する検出手段により撮像装置の静止状態が検出された場合に、手ブレ補正手段の少なくとも一部への通電を停止するようにしたので、三脚との互換性を問うことなく、また台等に載置して撮影する場合であっても、電力消費を有効に軽減することができるようになるという効果がある。
【発明を実施するための最良の形態】
【００１４】
以下、本発明の実施形態について、図面を参照して詳細に説明する。
【００１５】
〔カメラの概略構成〕
図１は本発明の実施形態に係る電子（デジタル）カメラの概略構成を模式的に示す縦断面図である。このカメラは、一眼レフ方式の電子カメラである。但し、本発明が適用可能なカメラとしては、一眼レフ方式の電子カメラに限定されず、コンパクトデジタルカメラ、フィルムカメラ、動画を記録するビデオカメラ、その他のカメラであってもよい。また、本発明は、一般的にカメラと称呼される装置にも限定されず、撮像（撮影）機能を備えるあらゆる装置に適用可能である。
【００１６】
図１において、カメラＣＭは、カメラ本体（カメラボディ）ＣＢ及びカメラ本体ＣＢに交換可能に装着される撮影レンズＣＬを備えて構成されている。撮影レンズＣＬは、不図示のレンズマウントを介して、カメラ本体ＣＢに装着される。なお、この実施形態ではレンズ交換式のカメラであるものとするが、撮影レンズＣＬはカメラ本体ＣＢに一体的に設けられていてもよい。カメラ本体ＣＢの上部には、ファインダＦＤが一体的に又は交換可能に取り付けられている。
【００１７】
カメラ本体ＣＢの内部には、撮像面に結像される被写体の像を画像信号に変換して出力するＣＣＤあるいはＣＭＯＳ等からなる撮像素子１０が設けられている。撮像素子１０は、回路基板（撮影基板）１１に実装されている。回路基板１１上には、図２を参照して後述するＭＰＵ（１０１）、タイミング回路（１０４）、Ａ／Ｄ変換回路（１０３）、画像処理回路（１０５）、傾斜センサ（１０８）等が実装されている。撮像素子１０の前面（撮影レンズＣＬ側）には、赤外カットフィルタやローパスフィルタ等の光学フィルタ１２が設けられている。
【００１８】
撮像素子１０の前面側には、遮光部材を機械的に駆動して露光時間を調節するための周知のメカニカルシャッタ１３が設けられている。
【００１９】
ファインダＦＤは、撮影レンズＣＬや後述するクイックリターンミラー１４等を介して形成される被写体の光学像を目視観察するための光学式のファインダであり、フォーカシングスクリーン（焦点板）２０、ペンタプリズム２１、周知の測光素子２２、測光光学系２３、接眼レンズ系２４，２５、接眼窓２６、及びファインダ内表示装置２７等を備えて構成されている。
【００２０】
カメラ本体ＣＢの背面には、撮像素子１０に結像される画像や撮影に関する情報を表示可能な画像表示手段としての画像表示モニタ（背面液晶モニタ）１７が設けられている。この画像表示モニタ１７としては、視野が広く、高解像であること等からＴＦＴ（Ｔｈｉｎ  Ｆｉｌｍ  Ｔｒａｎｓｉｓｔｏｒ）方式の液晶表示パネルが用いられている。
【００２１】
カメラ本体ＣＢ内において、撮像素子１０の前面側（メカニカルシャッタ１３よりも更に前面側）には、周知のクイックリターンミラー１４が回動可能に軸支されている。クイックリターンミラー１４の裏面側（下側）には、周知のサブミラー１５が設けられている。クイックリターンミラー１４のハーフミラー部を透過した一部の光は、サブミラー１５で反射されて、周知の位相差検出方式のＡＦ検出装置１６に入射されるようになっている。
【００２２】
撮影レンズＣＬは、被写体の像を撮像素子１０の撮像面上に結像させるための撮影光学系である。図１では、撮影レンズＣＬは焦点距離が変更可能なズームレンズであるものとする。
【００２３】
撮影レンズＣＬの鏡筒内には、メインレンズ３０や不図示の焦点調整用のフォーカスレンズや焦点距離調節用のズームレンズ等を含むレンズ系及び撮像素子１０へ入射させる光の量を調節するための可変開口絞り（不図示）等が設けられている。また、この撮影レンズＣＬに関するレンズ情報が予め格納されたレンズＲＯＭ（不図示）等も設けられている。フォーカスレンズは、モータ、連結ギア及びカップリング等を備えるレンズ駆動装置１８により撮影レンズＣＬの光軸ＡＸに沿う方向に位置決め可能に移動されるようになっている。
【００２４】
この実施形態の撮影レンズＣＬは、手ブレ補正機能を備える所謂ＶＲ（Ｖｉｂｒａｔｉｏｎ  Ｒｅｄｕｃｔｉｏｎ）レンズであり、この手ブレ補正機能を実現するため、撮影レンズＣＬ内には、補正レンズ３１、補正レンズ駆動部３２、及び振動検出センサとしての一対の角速度センサ３３ｘ、３３ｙ等を備える手ブレ補正機構が設けられている。
【００２５】
角速度センサ３３ｘ、３３ｙは、角速度（ブレ量）を検出するセンサであり、一方の角速度セン３３ｘはＸ軸回りの回転であるピッチング（上下のブレ）を検出するように、他方の角速度センサ３３ｙはＹ軸回りの回転であるヨーイング（左右のブレ）を検出するように設けられている。
【００２６】
補正レンズ駆動部３２は、補正レンズ３１をＸ軸に沿う方向に駆動するアクチュエータと、補正レンズ３１をＹ軸に沿う方向に駆動するアクチュエータとを備えて構成されている。補正レンズ駆動部３２のアクチュエータとしては、ボイスコイルモータ（ＶＣＭ：Ｖｏｉｃｅ  Ｃｏｉｌ  Ｍｏｔｏｒ）が用いられている。
【００２７】
手ブレ補正を実施する場合には、角速度センサ３３ｘ、３３ｙによる検出値（角速度情報）に基づいて、補正レンズ３１のＸ軸方向及びＹ軸方向の駆動量を演算し、補正レンズ駆動部３２の各アクチュエータをこの駆動量に基づいて駆動して、補正レンズ３１をＸ−Ｙ面内で手ブレによる振動を相殺するように移動させる。撮影レンズＣＬ内の角速度センサ３３ｘ、３３ｙ、補正レンズ駆動部３２等への電力は、後述するＭＰＵ１０１による制御の下、カメラ本体ＣＢが備えるバッテリパック（電池）からレンズマウントの電気的接点を介して供給されるようになっている。
【００２８】
カメラ本体ＣＢの上部や背面には、図示は省略するが、撮影者が指示内容を手動入力するための各種のスイッチ、押しボタン、ダイヤル、十字キー等の操作部及び撮影に関する情報を表示するための情報表示パネル（画像表示モニタ１７とは別の小型液晶パネル）等が配置されている。操作部としては、電源をオン／オフする電源ダイヤル、レリーズボタン、撮影モードダイヤル、メニューボタン、ＡＦスタート釦、項目選択用十字キー、ＯＫボタン（決定ボタン）等が設けられている。ＡＦスタート釦は、レリーズボタンとは別に設けられた操作部材であり、このＡＦスタート釦をＯＮ操作すると、カメラはコントラスト方式のオートフォーカス（後述）を実行する。
【００２９】
静止画像撮影モードでは、クイックリターンミラー１４は、ミラーダウン位置に設定されており、撮影者はファインダＦＤの観察窓２６を介して、撮影レンズＣＬからの被写体の像を目視できるようになっている。静止画の撮影操作（レリーズボタンが全押しされる操作）がなされると、クイックリターンミラ１４がミラーアップ位置に切り換えられ、これとほぼ同時にメカニカルシャッタ１３が作動された後、クイックリターンミラー１４はミラーダウン位置に速やかに戻される。これにより、１枚の画像が撮像され、記録される。クイックリターンミラー１４がミラーアップ位置となることにより、ファインダＦＤへの被写体の像の供給は一瞬遮断される。画像表示モニタ１７にリアルタイム画像を表示するライブビューモードでは、クイックリターンミラー１４は、ミラーアップ位置を継続的に維持するようになっている。
【００３０】
ライブビューモードでは、撮影レンズＣＬを介して撮像素子１０に結像された画像は、所定のフレームレートで画像表示モニタ１７にリアルタイム表示され、このモードでは、撮影者は画像表示モニタ１７に表示された画像を見ながら、所望の撮影を行うことができる。なお、ライブビューモードにおいて、画像表示モニタ１７上に表示される画像は、スルー画像である。スルー画像とは、撮像素子１０で所定のサンプリング間隔毎に撮像される画像（このサンプリング間隔は、人目には連続的に映る間隔）であって、画像表示モニタ１７上で表示されるために使用される画像である。
【００３１】
この実施形態のカメラＣＭでは、このライブビューモードの下位に位置付けられるモードとして、手持ちモード（第１表示モード）と、スタジオモード（第２表示モード）とを備えている。スタジオモードは、ライブビューモードにおいて、撮影スタジオ等でカメラが三脚等に固定されて撮影される状況や、あるいは家庭や屋外でカメラをテーブルや台等の上に載置して撮影される状況を想定したモードであり、カメラはこのような撮影状況に最適な内部設定にカメラ内の状態を設定するものである。
【００３２】
具体的には、スタジオモードでは、クイックリターンミラー１４がミラーアップ位置にあり、スルー画像を画像表示モニタ１７に表示中（ライブビュー中）に、ＡＦスタート釦がＯＮ操作されると、コントラスト方式のオートフォーカスを実施する。つまり、スタジオモードでは、ライブビュー中のＡＦ動作（コントラスト検出方式のＡＦ動作）を許容する。その理由は、より正確なピント合わせが要求される静止被写体を撮影する際に、撮影前のライブビュー画像において、より正確なピント状態を確認することができるようにするためである。なお、このスタジオモードでは、使用者のマニュアル操作によるマニュアルフォーカスを行うことも可能である。
【００３３】
コントラスト方式のオートフォーカスとは、フォーカスレンズを、所定間隔（ピッチ）でステップ移動させつつ、撮影した各画像に基づいて焦点評価値（例えば、撮像素子１０から得られるＡＦ検出エリアに係る領域の画像信号の高周波成分の積算値等）を算出し、これらの焦点評価値を相対評価して、該焦点評価値が最大となるレンズ位置を合焦位置（ピントが合う位置）として、該フォーカスレンズの位置を調整するものである。
【００３４】
手持ちモードは、ライブビューモードにおいて、カメラを手に持って、画像表示モニタ１７に表示される画像を見ながら撮影することを想定したモードであり、このモードでは、例えＡＦスタート釦がＯＮ操作されてもオートフォーカス（コントラストＡＦ）は実施しない。つまり、手持ちモードでは、ライブビュー中のＡＦ動作（コントラスト検出方式のＡＦ動作）を許容しない。なお、位相差検出方式のＡＦ動作については、スタジオモードのライブビュー中（スルー画像表示中）のときには、ＡＦ動作が許容されておらず、一方手持ちモードのライブビュー中のときには、レリーズボタン又はＡＦスタート釦の操作に応じてＡＦ動作が許容される。
【００３５】
〔制御系の構成〕
図２は本実施形態に係る電子カメラの制御系の概略構成を示すブロック図である。同図において、１０１はマイクロコンピュータ等によって構成される制御手段としてのＭＰＵ（メイン制御回路）であり、後述する各ブロックから出力される信号の入力を受けて所定の演算を行い、演算結果に基づいて制御信号を各ブロックへ出力する。なお、このＭＰＵ１０１を含む各ブロックであって、電源を必要とするものには、不図示のバッテリパック（電池）から電力が供給されるようになっている。
【００３６】
撮像素子１０は撮影レンズＣＬを透過した被写体光を受光して画像信号（蓄積電荷としてのアナログ信号）を出力し、アナログ／デジタル変換回路１０３は撮像素子１０からのアナログ信号に対してゲイン調整、デジタル信号変換を行って、画像処理回路１０５に送る。撮像素子１０及びアナログ／デジタル変換回路１０３は、タイミング回路１０４から出力される駆動信号に従う動作タイミングで駆動される。
【００３７】
画像処理回路１０５は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等で構成され、Ａ／Ｄ変換回路１０３から出力されるデジタル信号の原画像データ（ＲＡＷ画像データ）を、バッファメモリとしてのＳＤＲＡＭ１０６に一時的に記憶させる。また、この原画像データに対してホワイトバランス調整、シャープネス調整、ガンマ補正、階調調整等の画像処理、及び必要に応じて所定の圧縮形式（ＪＰＥＧ、ＴＩＦＦ形式等）で圧縮する圧縮処理（現像処理）等を行い、原画像データ又は圧縮処理後の画像データを、撮影に関する撮影データと共に、所定のファイル形式（Ｅｘｉｆ形式等）で、画像記録媒体１０７に記録する。なお、画像記録媒体１０７に記録される画像データの画像形式（ＲＡＷ、ＪＰＥＧ、ＴＩＦＦ等）は、撮影者による設定操作に従って選択される。
【００３８】
画像記録媒体１０７は、カメラ本体ＣＢに設けられたスロットに着脱可能に装着される可搬性を有する情報記録媒体であり、例えば、ＣＦカード、ＳＤカード、スマートメディア等の各種のものを用いることができる。
【００３９】
傾斜センサ１０８は、上述した通り、カメラ本体ＣＢの回路基板１１に実装されており、撮影レンズＣＬの光軸ＡＸに対して垂直な面（Ｘ−Ｙ面）についての傾斜（姿勢）をモニタするためのセンサである。この傾斜センサ１０８としては、加速度センサを用いることができる。加速度センサとしては、静電容量型、サーモ型等の何れの形式のものを用いてもよい。
【００４０】
傾斜センサ１０８からの出力に基づいて、カメラＣＭの水平又は垂直に対する傾きを示す表示が画像表示モニタ１７及び／又はファインダ内表示装置２７に表示されるようになっている。撮影者はその表示を見ながら、カメラＣＭの姿勢を水平又は垂直となるように調整して撮影を行うことができる。この傾斜センサ１０８からの出力は、後に詳述するが、撮影レンズＣＬの手ブレ補正機構の作動制御（電力の供給又は停止の制御）にも用いられる。
【００４１】
画像表示制御回路１０９は、画像表示モニタ１７の表示を制御する回路である。設定操作部材１１０は、撮影者により操作される電源スイッチ、レリーズボタン、撮影モードダイヤル、メニュー表示ボタン、項目選択用十字キー、決定ボタン等であり、撮影のための設定や各種のモード選択等を行うための操作部を構成する部材である。
【００４２】
ＳＷ１，ＳＷ２は設定操作部材１１０のうちのレリーズボタンの押下に連動して作動するスイッチであり、スイッチＳＷ１は、レリーズボタンを半押し位置まで押下することによりオンし、スイッチＳＷ２はレリーズボタンを全押し位置まで押下することによりオンするスイッチである。
【００４３】
情報表示制御回路１１１は、ファインダ内表示装置２７又はカメラ本体ＣＢに設けられた情報表示パネル（不図示）の表示内容を制御する回路である。測光回路１１２は、測光素子２２から得られる信号をＡ／Ｄ変換してＭＰＵ１０１に出力する回路である。露出制御回路１１３は、測光回路１１２から得られた被写体の輝度及び撮像感度からシャッタスピードと撮影レンズＣＬの絞り値を演算して、シャッタ制御部１１４と絞り制御部１１５とを制御する。
【００４４】
レンズ情報入力回路１１６は、装着された撮影レンズＣＬの不図示のレンズＲＯＭ内に記憶された開放絞り値、焦点距離、射出瞳等を含むレンズ情報を読み出して、ＭＰＵ１０１に供給する。また、撮影レンズＣＬが手ブレ補正機構を内蔵しているかどうかは、レンズ情報入力回路１１６により認識される。撮影レンズＣＬが手ブレ補正機構を内蔵している場合に、該手ブレ補正機構を駆動するための電力は、カメラ本体ＣＢの電池から供給される。
【００４５】
焦点検出回路１１７は、位相差方式のＡＦ検出装置１６が備えるラインセンサから得られる出力をＡ／Ｄ変換してＭＰＵ１０１に供給する回路である。レンズ駆動回路１１８は、レンズ情報入力回路１１６から得られたレンズ情報と、焦点検出回路１１７により得られた合焦位置とに基づいて、撮影レンズＣＬ内に（又はカメラ本体ＣＢ内に）設けられた駆動装置１８を介して、フォーカスレンズを合焦位置に移動させる回路である。
【００４６】
モード設定回路１１９は、撮像素子１０で得られたスルー画像を、リアルタイムに画像表示モニタ１７に表示させるライブビューモードに設定されている場合において、手持ちモードか、スタジオモードかを設定する回路であり、撮影者が設定操作部材１１０を操作することにより設定される。手ブレ補正機構回路１２０は、傾斜センサ１０８による出力に基づいて、このカメラＣＭが予め決められた所定時間以上に渡って静止状態となっているか否かを判定する回路である。
【００４７】
〔ライブビュースタジオモードにおける処理〕
次に、ライブビュースタジオモード（前述した「スタジオモード」）における処理について、図３を参照して説明する。図３は撮影モードがライブビューモードに設定されている場合であって、更にスタジオモードに設定されている場合の処理を示すフローチャートである。
【００４８】
まず、ステップＳ１において、レリーズボタンの半押しで作動するスイッチＳＷ１がＯＮされているか否かを判定し、ＯＮであると判定された場合（Ｙの場合）には、ステップＳ２に進み、カメラ本体ＣＢの上カバーに配置されている撮影モードダイヤル（不図示）でライブビューモード（ＬＶ）が設定されているか否かを判定する。ステップＳ２において、ライブビューモードに設定されていると判定された場合（Ｙの場合）には、ステップＳ３に進む。
【００４９】
ステップＳ２において、ライブビューモードに設定されていないと判定された場合（Ｎの場合）には、静止画像撮影モードを実行する（ステップＳ２１）。なお、静止画像撮影モードとは、クイックリターンミラー１４をミラーダウン位置に設定して、ファインダＦＤの観察窓２６を介して被写体の像を視認しながら、位相差方式のオートフォーカスを実行し、撮影時にクイックリターンミラー１４をミラーアップ位置に設定して、撮像素子１０からの撮像画像を取り込む場合の撮影モードである。
【００５０】
ステップＳ３では、ライブビューモードの中で、スタジオモードが選択されているか否かを判定する。スタジオモードは、三脚固定を前提としてスタジオ内で撮影を実施する場合に、コントラスト方式のオートフォーカスやマニュアルフォーカスを用いてピント合わせを正確に行うために、画像表示モニタ１７でピントを合わせたい部分を拡大表示して使用するモードである。
【００５１】
ステップＳ３において、スタジオモードが選択されていないと判定された場合（Ｎの場合）には、上述した手持ちモードとなる（ステップＳ２２）。手持ちモードは、人垣の上から撮影するためカメラを頭より高く持ち上げたまま撮影したり、草花などを低いアングルから撮影したりする場合に設定されるモードである。なお、ライブビュー手持ちモードでは、コントラスト方式のオートフォーカスは実行できず、レリーズ操作された際には、上述の静止画像撮影モードと同様の動作（位相差ＡＦを行ってから、撮影画像を取り込む）を行う。
【００５２】
次に、ステップＳ４において、露出モードがＭ（マニュアル）モード又はＡ（絞り優先）モードであるか否かを判定する。Ｍモード又はＡモードである場合（Ｙの場合）には、ステップＳ５へ進み、Ｍモード又はＡモードでない場合（Ｎの場合）には、Ｐ（プログラム）モード又はＳ（シャッタースピード優先）モードとなり、ステップＳ５を飛ばして、ステップＳ６に進む。ステップＳ５では、制御絞り値ＡＶｃに設定絞り値ＡＶを代入する。ステップＳ６では、測光及び演算を行い、設定絞り値ＡＶにより撮像感度とシャッタスピードを決定する。
【００５３】
設定絞り値ＡＶのみを忠実に使用するのは、絞り値は被写体深度に関係するため、設定された絞り値と異なる値で制御することは、撮影者に静止画像撮影と異なる情報を与える可能性があり、これを防止するためである。なお、フレームレート１５ｆｐｓを維持できるように、撮像感度を自動設定し、被写体が暗い場合には撮像感度を上げてシャッタースピードを速くできるように制御する。フレームレートは小さくなると画像表示モニタ１７に表示されるスルー画像が滑らかでなく荒くなる。そのため被写体が暗い場合には、シャッタースピードを遅くするのには限界があるので、撮像感度を上げて対応する。
【００５４】
次に、ステップＳ７では、カメラ本体ＣＢの回路基板１１に実装されている傾斜センサ１０８を利用してカメラＣＭの傾きをモニタして、三脚に固定されているか、手持ちかを判定する。この判定は、傾斜センサ１０８からの出力に基づき、カメラＣＭの傾きが所定時間の経過毎に変化していない、即ち所定時間以上静止状態であれば、三脚に固定されているものと判断する。
【００５５】
ステップＳ７で三脚に固定されていると判定された場合（Ｙの場合）には、ステップＳ８で、手ブレ補正機構をＯＦＦ、即ち、手ブレ補正機構への給電を停止する。ステップＳ７で手持ちであると判定された場合（Ｎの場合）には、手ブレ補正機構をＯＮ、即ち手ブレ補正機構への給電を行い（ステップＳ２３）、ステップＳ９に進む。
【００５６】
次に、ステップＳ９で、レリーズボタンが全押しされた場合に作動するスイッチＳＷ２がＯＮであるか否かを判定し、ＯＮであると判定された場合（Ｙの場合）には、ステップＳ１０へ進む。ステップＳ９において、ＯＮでないと判定された場合（Ｎの場合）には、ステップＳ２０に進んで、再度スイッチＳＷ１がＯＮであるか否かを判定し、スイッチＳＷ１がＯＮでないと判定された場合（Ｎの場合）には、ステップＳ９に戻る。
【００５７】
ステップＳ１０では、クイックリターンミラー１４をミラーアップ位置に設定すると共に、絞り制御値ＡＶｃに従って撮影レンズＣＬの絞りの絞り込みを行う。その後、ステップＳ１１において、シャッタ１３の先幕の保持が解除され、該先幕が走行して、シャッタ１３が全開状態となる。次に、ステップＳ１２では、撮像素子１０の電荷の蓄積が開始され、ステップＳ１３では電荷の読み出しと転送が行われる。その後、ステップＳ１４では、画像処理回路１０５により画像処理が行われ、ステップＳ１５で画像表示モニタ１７に処理された画像が表示される。
【００５８】
次に、ステップＳ１６で、レリーズボタンの全押しにより作動するスイッチＳＷ２がＯＮであるか否かを再度判定し、ＯＮでないと判定された場合（Ｎの場合）には、ステップＳ１２に戻り、ステップＳ１２からステップＳ１５までをスイッチＳＷ２がＯＮになるまで繰り返し実行する。この電荷の蓄積（ステップＳ１２）から画像表示モニタ１７での表示（ステップＳ１５）までの処理は、１秒間に１５回以上、つまリフレームレート１５ｆｐｓ以上となるように制御することによリ、画像表示モニタ１７上にスルー画像が表示される。
【００５９】
なお、ステップＳ４からステップＳ９までの間に、上述のＡＦスタート釦がＯＮ操作された場合には、コントラスト方式のオートフォーカスが実行される。
【００６０】
ステップＳ１６において、スイッチＳＷ２がＯＮであると判定された場合（Ｙの場合）には、ステップＳ１７で、シャッタ１３の後幕の保持が解除され、該後幕が走行することにより、シャッタ１３は閉じられる。その後、ステップＳ１８において、クイックリターンミラー１４をミラーダウン位置に設定すると共に、絞りをリセットするリセット動作が開始され、ステップＳ１９でシャッタチャージが行われる。ステップＳ１９の実行後、又はステップＳ２０でスイッチＳＷ１がＯＮであると判定された場合（Ｙの場合）には、ステップＳ１に戻る。
【００６１】
上述した実施形態によれば、ライブビューモードの実行中にスタジオモードに設定された場合において、傾斜センサ１０８の出力に基づいてカメラＣＭの静止状態を判定し、カメラＣＭが三脚に固定されていると予想される場合には、手ブレ補正機構を作動させない、即ち手ブレ補正機構への給電を行わないようにしたので、消費電力を削減することができ、電池の消耗を遅くすることができる。  
また、カメラＣＭの水平等を表示するための傾斜センサ１０８の出力を用いて、カメラＣＭの静止状態、即ちカメラＣＭが三脚が固定されているか否かを判定するようにしており、傾斜センサ１０８を有するカメラでは、カメラの静止状態を検出するための姿勢又は振動を検出するセンサを別途設ける必要がなく、低コストで消費電力を削減することができる。但し、このようにカメラの水平等を表示するための傾斜センサ１０８を併用せずに、カメラの振動又は傾斜を検出するセンサを別途設けて、その検出値に基づいてカメラの静止状態を判定するようにしてもよい。
【００６２】
なお、上述した実施形態では、角速度センサ３３ｘ、３３ｙ及び補正レンズ駆動部３２を含む手ブレ補正機構の全体への通電を停止するものとして説明したが、手ブレ補正機構の一部への通電を停止させるだけであってもよい。例えば、補正レンズ駆動部３２への通電のみを停止し、角速度センサ３３ｘ、３３ｙへの通電は停止しないようにしてもよい。
【００６３】
また、上述した実施形態では、カメラＣＭの水平等を表示するための傾斜センサ１０８の出力を用いて、カメラＣＭの静止状態、即ちカメラＣＭが三脚に固定されているか否かを判定するようにしたが、手ブレ補正機構の角速度センサ３３ｘ及び／又は３３ｙの出力を用いて、カメラＣＭの静止状態を検出するようにしてもよい。この場合には、カメラＣＭの静止状態の検出のため、角速度センサ３３ｘ及び／又は３３ｙへの通電は行い、静止状態である場合に、補正レンズ駆動部３２への通電を停止するようにするとよい。
【００６４】
さらに、上述した実施形態では、図３のステップＳ７において、傾斜センサ１０８の出力に基づいて、三脚に固定されていると判断された場合に、手ブレ補正機構への通電を停止するようにしており、これは、ライブビュースタジオモードであっても、三脚等に固定せずに手持ちで撮影が行われることがあり得ることを想定して、これに有効に対処するためである。但し、ステップＳ７を削除して、ライブビュースタジオモードでは、常に三脚等に固定して撮影が行われるものとして、傾斜センサ１０８からの検出値によらず、手ブレ補正機構への通電を常に停止するようにしてもよい。
【００６５】
また、上述した実施形態では、ライブビュースタジオモードに設定されている場合であって、傾斜センサ１０８によりカメラＣＭの静止状態が検出された場合に、手ブレ補正機構への通電を停止するようにしたが、静止画像撮影モードにおいて、又はライブビュー手持ちモードにおいて、傾斜センサ１０８等によりカメラの静止状態が検出された場合に、手ブレ補正機構への通電を停止するようにしてもよい。静止画撮影モードやライブビュー手持ちモードに設定されている場合であっても、三脚に固定し、あるいは台等の上に載置して撮影することがあり得、この場合にも消費電力を削減することができるからである。
【００６６】
加えて、傾斜センサ１０８によりカメラＣＭの静止状態が検出されて、手ブレ補正機構への通電を停止した状態において、傾斜センサ１０８によりカメラの運動状態（非静止状態）が検出された場合には、手ブレ補正機構への通電を開始して、手ブレ補正機構を作動させるようにしてもよい。
【００６７】
なお、以上説明した実施形態は、本発明の理解を容易にするために記載されたものであって、本発明を限定するために記載されたものではない。従って、上記の実施形態に開示された各要素は、本発明の技術的範囲に属する全ての設計変更や均等物をも含む趣旨である。
【００６８】
例えば、上述した実施形態では、手ブレ補正機構として、補正レンズ３１を手ブレを相殺するように移動させる方式のものを用いた場合を例としたが、撮像素子１０を手ブレを相殺するように移動させる方式のものであっても、本発明を適用することができる。
【図面の簡単な説明】
【００６９】
【図１】本発明の実施形態のカメラの概略構成を示す図である。
【図２】本発明の実施形態のカメラの制御系の構成を示すブロック図である。
【図３】本発明の実施形態のライブビュースタジオモードにおける処理を示すフローチャートである。
【符号の説明】
【００７０】
ＣＭ…カメラ、ＣＢ…カメラ本体、ＣＬ…撮影レンズ、ＦＤ…ファインダ、１０…撮像素子、１１…回路基板、１３…メカニカルシャッタ、１４…クイックリターンミラー、１７…画像表示モニタ、３１…補正レンズ、３２…補正レンズ駆動部、３３ｘ、３３ｙ…角速度センサ、１０１…ＭＰＵ、１０５…画像処理回路、１０８…傾斜センサ、１１０…設定操作部材、１１９…モード設定回路、１２０…手ブレ補正機構回路、ＳＷ１，ＳＷ２…スイッチ。
【図１】
2009015184.tif 000003
【図２】
2009015184.tif 000004
【図３】
2009015184.tif 000005